【手続補正書】
【提出日】平成25年10月18日(2013.10.18)
【手続補正１】
【補正対象書類名】特許請求の範囲
【補正対象項目名】全文
【補正方法】変更
【補正の内容】
【特許請求の範囲】
【請求項１】
共通電極と、
前記共通電極に対向する第１対向電極及び第２対向電極と、
前記共通電極と、前記第１対向電極及び前記第２対向電極との間に設けられた発光層と、
を備え、
第１発光期間において、
前記第１対向電極には、前記共通電極と前記第１対向電極との間に前記発光層の発光閾値電圧以上の電圧が印加されるように、第１電位が供給され、
第１画像信号に応じた大きさの電流が前記共通電極と前記第１対向電極との間に供給され、
前記第２対向電極には、前記共通電極と前記第２対向電極との間に前記発光層の発光閾値電圧よりも小さい電圧が印加されるように、第２電位が供給され、
第２発光期間において、
前記第２対向電極には、前記共通電極と前記第２対向電極との間に前記発光層の発光閾値電圧以上の電圧が印加されるように、前記第１電位が供給され、
第２画像信号に応じた大きさの電流が前記共通電極と前記第２対向電極との間に供給され、
前記第１対向電極には、前記共通電極と前記第１対向電極との間に前記発光層の発光閾値電圧よりも小さい電圧が印加されるように、前記第２電位が供給される
ことを特徴とする画素回路。
【請求項２】
第３画像信号に応じた大きさの電流が前記共通電極と前記第１対向電極および前記第２対向電極との間に供給され、
前記第１対向電極には、前記第１電位が供給され、
前記第２対向電極には、前記第１電位が供給されることで、前記第１発光素子と前記第２発光素子とを同時に発光させる
ことを特徴とする請求項１に記載の画素回路。
【請求項３】
複数の走査線と、複数のデータ線と、
複数の第１電源線と、複数の第２電源線と、
前記走査線と前記データ線との交差に対応して設けられ、共通電極と、前記共通電極に対向し前記第１電源線に電気的に接続される第１対向電極と、前記共通電極に対向し前記第２電源線に電気的に接続される第２対向電極と、前記第１対向電極及び前記第２対向電極と前記共通電極との間に設けられた発光層とを備え、画像信号に応じた電流が前記共通電極に供給される画素回路と、
前記複数の走査線に対して選択信号を順次排他的に出力する走査線駆動回路と、
前記選択信号により選択される前記走査線に対応して設けられた複数の前記画素回路に対して、前記画像信号を前記複数のデータ線を介して供給するデータ線駆動回路と、
前記複数の第１電源線及び前記複数の第２電源線の各々に、前記第１対向電極又は前記第２対向電極と前記共通電極との間に前記発光層の発光閾値電圧以上の電圧を印加させる第１電位と、前記第１対向電極又は前記第２対向電極と前記共通電極との間に前記発光層に発光閾値電圧未満の電圧を印加させる第２電位とのうちいずれか一方を供給する電位制御回路とを備え、
前記電位制御回路は、
前記共通電極、前記発光層、及び前記第１対向電極を含む第1発光素子を発光させる第１発光期間において、
前記選択信号により選択される前記走査線に対応して設けられた複数の前記画素回路の前記第１対向電極に前記第１電源線を介して前記第１電位を供給するとともに、前記第２対向電極に前記第２電源線を介して前記第２電位を供給し、
前記共通電極、前記発光層、及び前記第２対向電極を含む第２発光素子を発光させる第２発光期間において、
前記選択信号により選択される前記走査線に対応して設けられた複数の前記画素回路の前記第２対向電極に前記第２電源線を介して前記第１電位を供給するとともに、前記第１対向電極に前記第１電源線を介して前記第２電位を供給する
ことを特徴とする電気光学装置。
【請求項４】
前記電位制御回路は、
前記選択信号により選択される前記走査線に対応して設けられた複数の前記画素回路の前記第１対向電極に前記第１電源線を介して前記第１電位を供給するとともに、前記第２対向電極に前記第２電源線を介して前記第１電位を供給することで、前記第１発光素子と前記第２発光素子とを同時に発光させる
ことを特徴とする請求項３に記載の電気光学装置。
【請求項５】
前記第１発光期間は、１垂直走査期間に相当する長さを有し、前記選択信号の出力の開始と同時に、前記複数の走査線において順次開始される期間であり、
前記第２発光期間は、１垂直走査期間に相当する長さを有し、前記第１発光期間の終了と同時に、前記複数の走査線において順次開始される期間であり、
前記第１発光期間と前記第２発光期間とは、交互に繰り返される
ことを特徴とする請求項３または請求項４に記載の電気光学装置。
【請求項６】
前記第１発光期間は、前記選択信号の出力の開始より第１時間遅れて開始され、前記選択信号の出力の開始の１垂直走査期間後より第２時間早く終了し、
前記第２発光期間は、前記選択信号の出力の開始より前記第１時間遅れて開始され、前記選択信号の出力の開始の１垂直走査期間後より前記第２時間早く終了し、
前記第１時間および前記第２時間は、１水平走査期間よりも短い期間である
ことを特徴とする請求項３または請求項４に記載の電気光学装置。
【請求項７】
前記各走査線に対応して設けられた前記複数の画素回路において、前記第１対向電極は１本の電極として共通に設けられており、前記第２対向電極は１本の電極として共通に設けられている、
ことを特徴とする請求項３乃至６のうちいずれか１項に記載の電気光学装置。
【請求項８】
任意の走査線に対応して設けられた前記複数の画素回路を第１画素回路群、当該走査線に隣り合う走査線に対応して設けられた前記複数の画素回路を第２画素回路群としたとき、
前記第１画素回路群に含まれる前記第１対向電極と、前記第２画素回路群に含まれる前記第２対向電極とを１本の電極として共通に設けたことを特徴とする請求項３乃至６のうちいずれか１項に記載の電気光学装置。
【請求項９】
前記複数の画素回路に１対１に対応する開口部と遮光部とからなる視差バリアを備え、
前記複数の開口部は、
前記第１発光素子より照射された光を、第１の領域に導き、
前記第２発光素子より照射された光を、第２の領域に導く
ことを特徴とする請求項３乃至８のうちいずれか１項に記載の電気光学装置。
【請求項１０】
前記複数の画素回路に１対１に対応する複数のレンズを備えるレンチキュラーレンズを備え、
前記複数のレンズは、
前記第１発光素子より照射された光を、第１の領域に導き、
前記第２発光素子より照射された光を、第２の領域に導く、
ことを特徴とする請求項３乃至８のうちいずれか１項に記載の電気光学装置。
【請求項１１】
第１走査線と、
データ線と、
ゲートが前記第１走査線に接続され、ソース及びドレインのうち一方が前記データ線に接続された第１選択トランジスターと、
前記第１選択トランジスターを介して前記データ線から供給される第１画像信号に応じた電流を供給する第１駆動トランジスターと、
前記第１駆動トランジスターのソース及びドレインのうち一方と電気的に接続された第１電極と、
第２電極と、
第３電極と、
前記第２電極及び前記第３電極と前記第１電極との間に設けられた発光層と、
前記発光層に発光閾値電圧以上の電圧を印加させるための第１電位と、前記発光層に前記発光閾値電圧未満の電圧を印加させるための第２電位とのうちいずれか一方を供給する電位制御回路とを備え、
前記電位制御回路は、
第１期間において、前記第１電極と前記第２電極との間の前記発光層を発光させるために前記第２電極に前記第１電位を供給するとともに、前記第３電極に前記第２電位を供給し、
第２期間において、前記第２電極と前記第３電極との間の前記発光層を発光させるために前記第３電極に前前記第１電位を供給するとともに、前記第２電極に前記第２電位を供給する
ことを特徴とする電気光学装置。
【請求項１２】
前記第２電極及び前記第３電極は、前記データ線が延在する第１方向に延在することを特徴とする請求項１１に記載の電気光学装置。
【請求項１３】
第２走査線と、
ゲートが前記第２走査線に接続され、ソース及びドレインのうち一方が前記データ線に接続された第２選択トランジスターと、
前記第２選択トランジスターを介して前記データ線から供給される第２画像信号に応じた電流を供給する第２駆動トランジスターと、
前記第２駆動トランジスターのソース及びドレインのうち一方と電気的に接続された第４電極と、
第５電極と、
をさらに備え、
前記発光層は、前記第３電極及び前記第５電極と前記第４電極との間にも設けられており、
前記第３電極は、前記発光層を介して前記第１電極と対向するとともに、前記発光層を介して前記第４電極と対向することを特徴とする請求項１１に記載の電気光学装置。
【請求項１４】
前記第２電極、前記第３電極、及び前記第５電極は、前記第１走査線及び前記第２走査線が延在する第２方向に延在することを特徴とする請求項１３に記載の電気光学装置。
【請求項１５】
前記第２期間において、前記第３電極と前記第４電極との間の前記発光層を発光させるために前記第３電極に前記第１電位を供給するとともに、前記第５電極に前記第２電位を供給し、
第３期間において、前記第４電極と前記第５電極との間の前記発光層を発光させるために前記第５電極に前記第１電位を供給するとともに、前記第３電極に前記第２電位を供給することを特徴とする請求項１３又は請求項１４に記載の電気光学装置。
【請求項１６】
第４期間において、前記第３電極と前記第４電極との間の前記発光層を発光させるために前記第３電極に前記第１電位を供給するとともに、前記第４電極と前記第５電極との間の前記発光層を発光させるために前記第５電極に前記第１電位を供給することを特徴とする請求項１３又は請求項１４に記載の電気光学装置。
【請求項１７】
開口部と遮光部とからなる視差バリアをさらに備え、
前記開口部は、前記第１電極と前記第２電極との間の前記発光層より照射された光を、第１の領域に導き、前記第２電極と前記第３電極との間の前記発光層より照射された光を、第２の領域に導くように構成されてなる
ことを特徴とする請求項１１乃至１６のうちいずれか１項に記載の電気光学装置。
【請求項１８】
レンズを備えるレンチキュラーレンズをさらに備え、
前記レンズは、前記第１電極と前記第２電極との間の前記発光層より照射された光を、第１の領域に導き、前記第２電極と前記第３電極との間の前記発光層より照射された光を、第２の領域に導くように構成されてなることを特徴とする請求項１１乃至１６のうちいずれか１項に記載の電気光学装置。
【請求項１９】
請求項３乃至１８のうちいずれか１項に記載の電気光学装置を備えることを特徴とする電子機器。